(57)【要約】【課題】通行者がゲートを通って管理区域に入る際に必要なデータの照合時間を短くして、通行者がよりスムーズにゲートを出入することができるようにする。【解決手段】出入管理システムは、第１管理区域２０１に出入する通行者を監視する第１ゲート２００と、第１管理区域２０１内に設けられた第２管理区域３０１に出入する通行者を監視するために第１管理区域２０１内に配置された第２ゲート３００と、を備えている。第１ゲート２００は、第１ゲート２００を通って第１管理区域２０１に入る通行者を特定する第１出入管理情報を発信する手段を有し、第２ゲート３００は、第１出入管理情報に基づいて、第２管理区域３０１に入ろうとする通行者を特定する第２ゲート通行者特定手段を有する。【選択図】図１
2013029988.tif 000002
【特許請求の範囲】
【請求項１】
第１の管理区域に出入する通行者を監視する第１のゲートと、
前記第１の管理区域内に設けられた第２の管理区域に出入する通行者を監視するために前記第１の管理区域内に配置された第２のゲートと、
を備えた出入管理システムであって、
前記第１のゲートは、当該第１のゲートを通って前記第１の管理区域に入る通行者を特定する第１出入管理情報を発信する手段を有し、
前記第２のゲートは、前記第１出入管理情報に基づいて、前記第２の管理区域に入ろうとする通行者を特定する第２ゲート通行者特定手段を有すること、
を特徴とする出入管理システム。
【請求項２】
前記第１の管理区域または第２の管理区域に出入することが許容された者を特定するマスター情報を記憶して管理する集中管理装置をさらに有し、
前記第１のゲートは、前記集中管理装置から送られた前記マスター情報に基づいて、当該第１のゲートを通って前記第１の管理区域に入る通行者の通行を許可し、
前記第２ゲート通行者特定手段は、前記集中管理装置から送られた前記マスター情報のうちの前記第１出入管理情報に基づいて、前記第２のゲートを入ろうとする通行者を特定すること、
を特徴とする請求項１に記載の出入管理システム。
【請求項３】
前記第２のゲートは、当該第２のゲートを過去に通過した通行者の実績データを記憶する実績記憶部を備え、
前記第２ゲート通行者特定手段は、前記実績データに基づいて、第２のゲート通行者の予測を行ない、その予測結果に基づいて第２のゲート通行者を特定すること、
を特徴とする請求項１または請求項２に記載の出入管理システム。
【請求項４】
前記第１のゲートは、当該第１のゲートを通って前記第１の管理区域に入る通行者が前記第１の管理区域内で入る予定の予定区域を特定する予定区域情報を入力する予定区域入力部をさらに有し、
前記第２ゲート通行者特定手段は、前記予定区域情報に基づいて、前記第２の管理区域に入ろうとする通行者の予測を行ない、その予測結果に基づいて第２のゲート通行者を特定すること、
を特徴とする請求項１ないし請求項３のいずれか一項に記載の出入管理システム。
【請求項５】
前記第１の管理区域内に、前記通行者によって携帯されて当該通行者個人を識別する個人識別子を読み取る個人識別読み取り装置が配置されていること、
を特徴とする請求項１ないし請求項４のいずれか一項に記載の出入管理システム。
【発明の詳細な説明】
【技術分野】
【０００１】
本発明は、施設や企業等の内部のセキュリティーを確保するために人の出入を管理する出入管理システムに関する。
【背景技術】
【０００２】
原子力発電所等の原子力施設、あるいは、企業などの施設、建物においては、近年テロ組織や犯罪組織による破壊行為の危険性が増してきており、セキュリティー性向上や異常発生に対する監視がますます重要になってきている。
【０００３】
セキュリティー性向上では生体認証の導入があり、検索や照合に要する時間が長くなっている。一方  偽造防止の観点からＩＤカードレスでの出入管理のニーズも広がりつつある。
【０００４】
従来の方法では、管理区域に出入するたびに膨大な情報から個人を特定し照合しているため、照合に時間を要している。
【先行技術文献】
【特許文献】
【０００５】
【特許文献１】特開２００８−１９７７３４号公報
【発明の概要】
【発明が解決しようとする課題】
【０００６】
従来の出入監視システムにおいては、照合の都度マスター登録されたデータベースと照合しており照合に長時間を要していた。
【０００７】
本発明は、通行者がゲートを通って管理区域に入る際に必要なデータの照合時間を短くして、通行者がよりスムーズにゲートを出入することができるようにすることを目的とする。
【課題を解決するための手段】
【０００８】
上記目的を達成するために、本発明に係る出入管理システムは、第１の管理区域に出入する通行者を監視する第１のゲートと、前記第１の管理区域内に設けられた第２の管理区域に出入する通行者を監視するために前記第１の管理区域内に配置された第２のゲートと、を備えた出入管理システムであって、前記第１のゲートは、当該第１のゲートを通って前記第１の管理区域に入る通行者を特定する第１出入管理情報を発信する手段を有し、前記第２のゲートは、前記第１出入管理情報に基づいて、前記第２の管理区域に入ろうとする通行者を特定する第２ゲート通行者特定手段を有すること、を特徴とする。
【発明の効果】
【０００９】
本発明によれば、通行者がゲートを通って管理区域に入る際に必要なデータの照合時間が短くなり、通行者がよりスムーズにゲートを出入することができるようになる。
【図面の簡単な説明】
【００１０】
【図１】本発明に係る出入管理システムの第１の実施形態を示す模式的ブロック構成図である。
【図２】本発明に係る出入管理システムの第２の実施形態を示す模式的ブロック構成図である。
【図３】本発明に係る出入管理システムの第３の実施形態を示す模式的ブロック構成図である。
【図４】本発明に係る出入管理システムの第３の実施形態における作業申請情報の作業予定区域を示す表の例を示す図である。
【図５】本発明に係る出入管理システムの第３の実施形態における作業申請情報の作業予定時間を示す表の例を示す図である。
【図６】本発明に係る出入管理システムの第４の実施形態を示す模式的ブロック構成図である。
【発明を実施するための形態】
【００１１】
以下、図面を参照して本発明に係る出入管理システムの実施形態について説明する。ここで、互いに同一または類似の部分には共通の符号を付して、重複説明は省略する。
【００１２】
［第１の実施形態］
図１は、本発明に係る出入管理システムの第１の実施形態を示す模式的ブロック構成図である。
【００１３】
第１管理区域２０１が設定され、第１管理区域２０１に人が出入するための第１ゲート２００が設けられている。第１管理区域２０１内に第２管理区域３０１が設定され、第２管理区域３０１に人が出入するための第２ゲート３００が設けられている。さらに、第２管理区域３０１内に第ｎ管理区域４０１が設定され、第ｎ管理区域４０１に人が出入するための第ｎゲート４００が設けられている。
【００１４】
第１管理区域２０１、第２管理区域３０１、第ｎ管理区域４０１は、それぞれ、たとえば壁や塀などで囲まれ、それぞれのゲート以外からは出入できない構造になっている。第１ゲート２００、第２ゲート３００、第ｎゲート４００は、それぞれ、人が通過する際のチェックポイントであり、同じ管理区域の境界に設けられた複数のゲートをグループ化したものでもよい。また、必ずしも門扉の形状をしていなくてもよい。
【００１５】
集中管理装置１１は、通行者５０のマスター情報１０を保存していて、第１ゲート２００に対してこのマスター情報１０を提供する。
【００１６】
通行者５０が第１ゲート２００を通過して第１管理区域２０１に入ろうとするとき、第１ゲート２００は、その通行者５０を識別するデータとマスター情報１０と照合し、その通行者５０が第１ゲート２００を通過することを許可するかどうかを判定する。その通行者５０が第１ゲート２００を通過して第１管理区域２０１に入る場合は、マスター情報１０に基づいて第１出入管理情報２０が生成される。
【００１７】
通行者５０がさらに第２ゲート３００を通過して第２管理区域３０１に入ろうとするとき、第２ゲート３００は、第１出入管理情報２０と照合し、その通行者５０が第２ゲート３００を通過することを許可するかどうかを判定する。その通行者５０が第２ゲート３００を通過して第２管理区域３０１に入る場合は、第１出入管理情報２０に基づいて第２出入管理情報３０が生成される。
【００１８】
同様に、通行者５０がさらに第ｎゲート４００を通過して第ｎ管理区域４０１に入ろうとするとき、第ｎゲート４００は、第ｎ出入管理情報４０と照合し、その通行者５０が第ｎゲート４００を通過することを許可するかどうかを判定する。その通行者５０が第ｎゲート４００を通過して第ｎ管理区域４０１に入る場合は、第２出入管理情報３０に基づいて第ｎ出入管理情報４０が生成される。
【００１９】
通行者５０が第２ゲート３００を第２管理区域３０１から出て第１管理区域２０１へ通行すると、第ｎ出入管理情報４０に生成された通行者５０の情報は、消去される。
【００２０】
同様に、通行者５０が第１ゲート２００を通過して第１管理区域２０１から出て行くと、第２出入管理情報３０に生成された通行者５０の情報は、消去される。
【００２１】
以上説明したように、本実施形態によれば、照合するための出入管理情報が次区域へ引き継がれ、照合するための情報が減少していく。このため、各ゲートでの出入管理情報の照合に当たり、出入管理情報として集中管理装置からマスター情報を得ていた従来のシステムに比べて、照合するための出入管理情報の量が少なくなり、照合時間を短くすることが可能となる。
【００２２】
［第２の実施形態］
図２は、本発明に係る出入管理システムの第２の実施形態を示す模式的ブロック構成図である。この実施形態では、第１ゲート２００、第２ゲート３００、第ｎゲート４００が、それぞれ、第１出入管理実績情報２１、第２出入管理実績情報３１、第ｎ出入管理実績情報４１を記憶する記憶部を備えている。第１出入管理実績情報２１、第２出入管理実績情報３１、第ｎ出入管理実績情報４１は、それぞれのゲートを過去に通過した通行者の情報を含んでいる。これらの情報は、それぞれ、第１出入管理情報２０、第２出入管理情報３０および第ｎ出入管理情報４０に付加される。その他の構成は第１の実施形態と同様である。
【００２３】
この実施形態によれば、過去の通行実績情報に基づいて予め出入ルートを予測することができる。これにより、この通行者５０がつぎに通過しようとするゲートを予測することができ、ゲートでの照合時間をさらに短くすることが可能となる。
【００２４】
［第３の実施形態］
図３は、本発明に係る出入管理システムの第３の実施形態を示す模式的ブロック構成図である。図４は第３の実施形態における作業申請情報の作業予定区域を示す表の例を示す図である。図５は第３の実施形態における作業申請情報の作業予定時間を示す表の例を示す図である。
【００２５】
この実施形態は第２の実施形態の変形であって、第１管理区域地図情報２２、第２管理区域地図情報３２、第ｎ管理区域地図情報４２を記憶する記憶部を備えている。第１管理区域地図情報２２、第２管理区域地図情報３２、第ｎ管理区域地図情報４２はそれぞれ、第１管理区域２０１、第２管理区域３０１、第ｎ管理区域４０１の内部の地図情報である。第１管理区域地図情報２２は第１出入管理情報２０に付加される。第２管理区域地図情報３２は第２出入管理情報３０および第ｎ出入管理情報４０に付加される。第ｎ管理区域地図情報４２は第ｎ出入管理情報４０に付加される。
【００２６】
さらに実施形態では、作業申請情報１００が、入力されて、第１出入管理情報２０、第２出入管理情報３０および第ｎ出入管理情報４０に付加される。作業申請情報１００は、図４および図５に示すように、通行者の作業予定区域および作業予定時間に関する情報を含む。
【００２７】
その他の構成・作用は第２の実施形態と同様である。
【００２８】
本実施形態によれば、作業申請情報により通行者５０がどの区域で作業する予定であるかを予め把握することができ、その情報から通過者５０の次行動を予測することにより、照合時間を短くすることが可能となる。
【００２９】
［第４の実施形態］
図６は、本発明に係る出入管理システムの第４の実施形態を示す模式的ブロック構成図である。
【００３０】
この第４の実施形態は第３の実施形態の変形である。この第４の実施形態では、通行者５０が個人識別子５１を携帯する。この出入管理システムは、通行者５０が携帯する個人識別子５１を読み取る個人識別読み取り装置７０と、個人識別読み取り装置７０からの情報に基づいて通行者５０の現在地を特定する現在地監視制御装置６０を備えている。
【００３１】
たとえば、個人識別子５１は通行者５０の帽子や衣服に取り付けられたバーコードであり、個人識別読み取り装置７０はこのバーコードを読み取ることのできるバーコード読み取り装置や監視カメラである。他の例としては、個人識別子５１はＩＣタグであり、個人識別読み取り装置７０はＩＣタグからの信号を受信できる受信装置である。
【００３２】
その他の構成は第３の実施形態と同様である。
【００３３】
本実施形態によれば、通行者の個人識別と地図情報により、通行者の現在地を随時把握することができ、その情報から通行者の次行動を予測することにより、ゲートでの照合時間を短くすることが可能となる。
【００３４】
［他の実施形態］
以上説明した実施形態では集中管理装置１１を第１管理区域２０１の外側に配置するものとしたが、これを第１管理区域２０１などの内側に配置してもよい。
【００３５】
以上説明した実施形態では、第１管理区域２０１の内側に第２管理区域３０１が設定され、さらにその内側に第ｎ管理区域４０１が設定されているものとしたが、複数の管理区域が、「囲む・囲まれる」の関係で設定されていれば、管理区域の数は２または４以上でもよい。
【００３６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１０…マスター情報
１１…集中管理装置
２０…第１出入管理情報
２１…第１出入管理実績情報
２２…第１管理区域地図情報
３０…第２出入管理情報
３１…第２出入管理実績情報
３２…第２管理区域地図情報
４０…第ｎ出入管理情報
４１…第ｎ出入管理実績情報
４２…第ｎ管理区域地図情報
５０…通行者
５１…個人識別子
６０…現在地監視制御装置
７０…個人識別読み取り装置
１００…作業申請情報
２００…第１ゲート
２０１…第１管理区域
３００…第２ゲート
３０１…第２管理区域
４００…第ｎゲート
４０１…第ｎ管理区域
【図１】
2013029988.tif 000003
【図２】
2013029988.tif 000004
【図３】
2013029988.tif 000005
【図４】
2013029988.tif 000006
【図５】
2013029988.tif 000007
【図６】
2013029988.tif 000008